(57)【特許請求の範囲】
【請求項１】
上壁面が扁平な四角形からなり、該上壁面の外周縁に沿って折り曲げられた４つの周壁と、各周壁の下端で外方へ折り曲げられ前記上壁面と平行に延びるベース片部とからなる架台と、前記上壁面に固設され内周壁にガスメータを固定した支持ポールの下端側に形成したネジと螺合するネジが刻設された上向きに突出する筒体とからなるガスメータの支持具において、
架台が、四角形の金属板の四辺に上壁面の全部の角部が接するように配して上壁面の外周縁となる第１の折曲げ線を山折りし、各第１の折曲げ線と平行で外方寄りに離間して配された第２の折曲げ線を谷折りして第１と第２の折曲げ線の間を前記上壁面を支持すると共に相互の端面が固着されない４つの周壁とし、該第２の折曲げ線から前記金属板の外端までの三角形状の部分を独立した平面部からなる４つのベース片部とし、各ベース片部にそれぞれ一つのボルト挿通口部を設けており、
該ボルト挿通口部が、一方で対向する一対のベース片部に形成されて上壁面の対向する一対の辺と平行に延びる長孔と、他方で対向する一対のベース片部に形成されて、前記長孔の延出方向と同じ方向に延びて先端が開放された平面視Ｕ字状の横倒Ｕ字孔とからなっていることを特徴とするガスメータの支持具。
【請求項２】
金属板が正方形からなっており、上壁面が中心を同じくする正方形に形成されてなることを特徴とする請求項１に記載のガスメータの支持具。        
【発明の詳細な説明】
【技術分野】
【０００１】
この発明は、ガスメータを支持ポールを介して設置面上に自立させるガスメータの支持具に関する。
【背景技術】
【０００２】
集合住宅などにおいては、居住スペースを大きくするために下水管、水道管、ガス管や電気、水道、ガスのメータなどを設置するパイプシャフトが狭小化している。また狭小パイプシャフト内に浄水器やインターネット関連設備などの設置設備が増加し施工工期短縮のため採用され始めた軽量コンクリートやアルミサッシなどの壁材質の変化により、従来のように壁にガスメータ配管を固定することが困難なケースが増加している。
そこで、ガスメータを設置スペース内に自立設置する構造が種々提案されているが、ガスメータは所定の震度を超えるまではガスを止めることなく正常に機能する必要がある。
そこで、例えば、特開２００８−２０９１６５号のガスメータ支持構造では、枠体内に下部を挿入した支持ポールを前記枠体内にコンクリートなどの固化材を打設して固定部材として地中に埋設してガスメータを自立させる構造であるため、十分な強度を得ることができるが、地中に埋設する必要がある。
そこで、地中に埋設しない構造としては、例えば特開平１０−２５３４２０号のガスメータ取付構造では、メータ支持フレームを側壁と床壁とに設けた２個所の固定脚に固定する構造が開示されているが、構造が複雑となり、また固定脚は扁平なベース板にアングル材のホルダー体を固着した構造からなっている。
同様に、図５に示す支持具１’でも、扁平なベース板１ａ’に筒体を上向きに固着した構造となっているので、この場合もフラットな設置面に対しては高い強度を示すが凹凸や勾配がある個所ではワッシャ等を挿入してベース板が水平となるように調整を行うが、アンカーボルトの取り付け部が同一平面にあるため、アンカーボルトの締め付けにより、ベース板１ａ’が変形し筒体が傾くことがある。また、ベース板と地面との間に空間部が生じ接触面積が下がることとなる。このように、筒体が傾いたり、ベース板の接地面積が減少すると耐震性能の低下をきたすという問題点が生じる。
また、図６に示す支持具１’では、矩形の鋼板の左右の２個所を折り曲げて台形の枠状１Ａ’とし、開口側は側板２３を嵌め込んで塞ぎ端面溶接を行ったが、折り曲げた側の強度は高いが、端面側の強度が十分でなく端面側では耐震強度が十分でないという問題点に加えて、このものにおいてもベース板が2脚２平面であり、同一平面部にアンカーボルトの取り付け部があるため、地面の凹凸や勾配に対する調整を行なう際に、支持具１’がねじれて変形し、筒体が傾くことがある。
【先行技術文献】
【特許文献】
【０００３】
【特許文献１】特開２００８−２０９１６５号公報
【特許文献２】特開平１０−２５３４２０号公報
【発明の開示】
【発明が解決しようとする課題】
【０００４】
この発明は上記実情に鑑みてなされたもので、その主たる課題は、簡単な構造であって、小さいスペースでもガスメータに必要な耐震性を持ち、取り付け時の水平調整が容易で変形することのないガスメータの支持具を提供することにある。
【課題を解決するための手段】
【０００５】
上記課題を解決するために、請求項１の発明では、
上壁面が扁平な四角形からなり、該上壁面の外周縁に沿って折り曲げられた４つの周壁と、各周壁の下端で外方へ折り曲げられ前記上壁面と平行に延びるベース片部とからなる架台と、前記上壁面に固設され内周壁にガスメータを固定した支持ポールの下端側に形成したネジと螺合するネジが刻設された上向きに突出する筒体とからなるガスメータの支持具において、
架台が、四角形の金属板の四辺に上壁面の全部の角部が接するように配して上壁面の外周縁となる第１の折曲げ線を山折りし、各第１の折曲げ線と平行で外方寄りに離間して配された第２の折曲げ線を谷折りして第１と第２の折曲げ線の間を前記上壁面を支持すると共に相互の端面が固着されない４つの周壁とし、該第２の折曲げ線から前記金属板の外端までの三角形状の部分を独立した平面部からなる４つのベース片部とし、各ベース片部にそれぞれ一つのボルト挿通口部を設けており、
該ボルト挿通口部が、一方で対向する一対のベース片部に形成されて上壁面の対向する一対の辺と平行に延びる長孔と、他方で対向する一対のベース片部に形成されて、前記長孔の延出方向と同じ方向に延びて先端が開放された平面視Ｕ字状の横倒Ｕ字孔とからなっていることを特徴とする。
また、請求項２の発明では、
前記金属板が正方形からなっており、上壁面が中心を同じくする正方形に形成されてなることを特徴とする。
【発明の効果】
【０００６】
この発明は上記のように、縦横方向に折板構造を設けることで、小さいスペースであっても十分な耐震性能を有する。またベース片部が独立した三つ以上の平面部から構成され、各ベース片部のボルト挿通口部は一つであるので、各ベース片部のアンカーボルトを強固に固定しても、上壁面からベース片部に到る折り曲げ部が支持具の変形を吸収するため、支持具全体が変形することがなく、支持具に取り付けられた筒体が傾くことがない。
支持具の水平方向の調整においても、ベース片部が独立しているので、他のベース片部との取り付け微調整が不要となり、地面の凹凸や勾配の状況に応じて容易に行うことができる。
更に、四角形の金属板を用いる場合には、折り曲げてボルト挿通口部を設けるだけで架台を容易に成形することができ、材料のロスがなく廉価に製造することができる。
【図面の簡単な説明】
【０００７】
【図１】実施例１のガスメータの支持具の斜視図である。
【図２】支持具の架台の展開図である。
【図３】ガスメータを支持ポールを支持した状態の説明図である。
【図４】三角形の上壁面を有する架台の展開図である。
【図５】従来の支持具の一例を示す斜視図である。
【図６】従来の支持具の他の例を示す斜視図である。
【発明を実施するための形態】
【０００８】
四角形の上壁面の各縁部に沿って周壁を折り曲げ、該周壁の下端を外方へ折り曲げてベース片部とした架台の前記上壁面に内周壁にネジが刻設された筒体を固設することで、ガスメータに必要な耐震性と小スペース化を実現した。
【実施例１】
【０００９】
以下に、この発明のガスメータの支持具の好適実施例について図面を参照しながら説明する。
図１および図２に示すガスメータの支持具１は、上壁面２が扁平な四角形からなり、該上壁面２の各縁部に沿って折り曲げられた周壁３と、該周壁３の下端で外方へ折り曲げられ前記上壁面２と略平行に延びるベース片部４とからなる架台１Ａと、該架台１Ａの前記上壁面２に固設され内周壁にネジが刻設された上向きに突出する筒体５とからなっている。
【００１０】
架台１Ａは底面が、中央が開口し外側に延びる片を有する略箱形からなっている。
上記架台１Ａの上壁面２は、本実施例の場合、中央で正方形に設定されて略水平に延びている。
上壁面２の外周の四辺に連なる周壁３は、上壁面２に対して略直角乃至僅かに外方へ広がる鈍角に折れ曲がっている。
【００１１】
また、ベース片部４は、外方へ向かう先端が徐々に幅狭となる三角形状からなっており、前記上壁面２と平行に延びている。
対向するベース片部４には、上壁面２の対向する一対の辺と平行に（図中左右方向に）延びる長孔８と、左右方向に延び先端が開放された横倒Ｕ字孔９が穿設されている。
【００１２】
上記支持具１は、略正方形の金属板２０を折り曲げて成形する。
金属板は、設置場所に応じて鋼板、ステンレス板、アルミ板、その他の公知の素材を用いることができる。
そして、図２に示すように、略正方形の金属板２０をその四隅が直角三角形となり、中央が金属板２０の外周縁に対して同心で４５度回転した相似形の正方形となるように第１の折曲げ線Ｌ１を設ける。
前記金属板２０を第１の折曲げ線Ｌ１に沿って山折りして、該第１の折曲げ線Ｌ１が外周縁となる略正方形の上壁面２が形成される。
【００１３】
金属板２０には前記第１の折曲げ線Ｌ１と平行で金属板２０の隅部方向に離間して第２の折曲げ線Ｌ２を設ける。
該第２の折曲げ線Ｌ２に沿って金属板２０を谷折りして、第１と第２の折曲げ線の間を前記上壁面２を支持する周壁面３とする。
ここで、図示例の周壁面３は倒立台形状となっている(図２参照）。
【００１４】
前記第２の折曲げ線Ｌ２から金属板２０の各隅部の先端までの直角二等辺三角形の片を前記上壁面２と平行なベース片部４とする。
該ベース片部４には、前記長孔８及び又は平面視横倒Ｕ字孔９が穿設される。
そして、前記上壁面２には、内周面に雌ネジ６を刻設した筒体５の下端を溶着等で垂直に固着している。
【００１５】
一方、ガスメータ１０を固定する支持ポール１１には、適宜パイプ、例えば使用済みのガス管を用いることができ、この下端側には雄ネジ１２を刻設する。
【００１６】
そして、支持ポール１１の雄ネジ１２を前記筒体５の雌ネジ６に螺合して、ガスメータ１０を支持ポール１１を介して固定し支持する。
【００１７】
また、ベース片部４は、それぞれが独立した４つの片からなっており、長孔８や横倒Ｕ字孔９を有しており、該孔８、９にはアンカーボルト７などを通して設置面に固定することができる。
ベース片部４の高さの微調整は、独立したベース片部４に対してワッシャをシム代わりに用いて行うことができるので、ベース片部全体の設置面積を可及的に広くすることができる。
【００１８】
これにより、従来の図６の支持具に補強板を溶接した構造では縦１８０ｍｍ×横２００ｍｍの大きさが必要であったが、本実施例では架台１Ａの縦、横（上壁面の対角線）を１５３ｍｍ×１５３ｍｍの寸法で同等の耐震性を有することが確認された。
【００１９】
従って、より狭いスペースであっても支持具１を設置することができ、縦方向及び横方向に十分な耐震性を確保することができた。
また、ベース片部４は分離されているので、それぞれ個別にアンカーボルト７で固定することができる。
上記実施例１では、正方形の金属板を使用したが長方形の金属板であってもよい。
【実施例２】
【００２２】
この発明は、各隣接する周壁３、３相互の端面をそのままとし、相互に固着しない構成を示している。また、この発明は、上記実施例に限定されず、その他、要するにこの発明の要旨を変更しない範囲で種々設計変更しうること勿論である。
【符号の説明】
【００２３】
１    支持具
１Ａ  架台
２    上壁面
３    周壁
４    ベース片部
５    筒体
６    雌ネジ
７    アンカーボルト
８    長孔
９    横倒Ｕ字孔
１０    ガスメータ１０
１１    支持ポール
１２    雄ネジ
２０    金属板
Ｌ１    第１の折曲げ線
Ｌ２    第２の折曲げ線
【図１】
0005261444.tif 000002
【図２】
0005261444.tif 000003
【図３】
0005261444.tif 000004
【図４】
0005261444.tif 000005
【図５】
0005261444.tif 000006
【図６】
0005261444.tif 000007